(57)【要約】【課題】  専用スイッチを廊下灯に設ける事無く、且つ簡易な操作で廊下灯の表示内容を変更できるナースコールシステムを提供する【解決手段】  廊下灯２は、ディスプレイ２１の表示切り替えのための人感センサ２２を有し、人感センサ２２は遠方から人の接近を検知する第１の感度状態と、手を翳される等の近接動作を検知する第２の感度状態との２段階の感度を有し、廊下灯ＣＰＵ２３は待受時には第１の感度状態とし、人の接近を検知したら第２の感度に切り替え、第１の感度で検知動作した場合はディスプレイ２１を待受状態から起動して患者氏名のみを表示させ、第２の感度で検知動作した場合には患者情報の詳細を表示する制御を行う。【選択図】  図２
2008054846.tif 000002
【特許請求の範囲】
【請求項１】
看護師を呼び出すためにベッド毎に設置されたナースコール子機と、ナースコール子機からの呼び出しを報知すると共に患者情報を画像表示するディスプレイを備えた廊下灯と、前記ナースコール子機からの呼び出しに応答するためにナースステーションに設置されたナースコール親機とを有するナースコールシステムにおいて、
前記廊下灯は、前記ディスプレイの表示切り替えのためのセンサを有すると共に、前記センサは人の接近を検知する第１の感度と、手を翳される等の近接動作を検知する第２の感度との２段階の感度を有し、
更に前記廊下灯は、待受時には前記センサを前記第１の感度状態とし、人の接近を検知したら前記第２の感度に切り替えるセンサ感度制御手段を有すると共に、前記第１の感度で検知動作した場合はディスプレイを待受状態から所定の第１画面の表示に切り替え、第２の感度で検知動作した場合に所定の第２画面の表示に切り換える制御を行う表示制御手段を有することを特徴とするナースコールシステム。
【請求項２】
前記センサ感度制御手段は、前記センサが前記第２の感度に切り替わった状態で、検知動作することなく所定の時間が経過したら前記第１の感度に切り替えると共に、前記表示制御手段は、前記第１の感度で検知動作しないとき第１画面の表示から待受状態に戻すことを特徴とする請求項１記載のナースコールシステム。
【請求項３】
前記ディスプレイが前記第２画面の表示に切り替わった状態で、前記センサが第１の所定時間の間検知動作しなければ、前記センサ感度制御手段は前記センサを前記第１の感度に切り替えると共に、前記表示制御手段は前記ディスプレイを前記第１画面の表示に切り替え、
引き続き前記センサが第１の感度で第２の所定時間の間検知動作しなければ、前記表示制御手段は第１画面の表示から待受状態に戻すことを特徴とする請求項１又は２記載のナースコールシステム。
【請求項４】
前記センサが第２の感度状態にある場合、前記表示制御手段は人の近接動作を検知している間だけ前記第２画面の表示に切り替えることを特徴とする請求項１乃至３の何れかに記載のナースコールシステム。
【請求項５】
前記ディスプレイが前記第２画面の表示状態にある場合に、前記第２の感度を維持している前記センサが検知動作したら、前記ディスプレイ制御手段は前記ディスプレイの表示を前記第１画面の表示に切り替えることを特徴とする請求項１乃至３の何れかに記載のナースコールシステム。
【発明の詳細な説明】
【技術分野】
【０００１】
本発明はナースコールシステムに関し、特に患者からの呼び出しを報知する廊下灯に患者情報を画像表示するディスプレイを備えたナースコールシステムに関する。
【背景技術】
【０００２】
ナースコールシステムは、看護師を呼び出すためにベッド毎に設置されたナースコール子機、ナースコールコール子機からの呼び出しを病室前で報知する廊下灯、前記ナースコール子機からの呼び出しに応答するためのナースコール親機、システムを制御する制御機等から構成されている。このようなナースコールシステムにおいて、廊下灯に病室内の入院患者の氏名や救護区分等の患者情報を画面表示するディスプレイを設けたものがある。
【０００３】
例えば特許文献１では、廊下灯に液晶ディスプレイを設けて患者情報を表示するようにしている。そして人感センサを設け、待受状態では消灯状態として患者情報が表示されないようにしているが、看護師等の接近を人感センサが検知したらバックライトを起動して動物画等を出画し、復旧ボタンの長押し操作等することで患者情報が出画されるよう構成されている。
【特許文献１】特開２００６−２１０２９号公報
【発明の開示】
【発明が解決しようとする課題】
【０００４】
廊下灯の場合、操作ボタン数を増やすことは好ましくないため１つのボタンを多機能化して上記特許文献１に示すように復旧ボタンの長押し等の操作をして患者情報を表示させていた。そのため、操作性の低下を招きスピーディーな対応を必要とする場合は不向きであった。また、両手が塞がっている場合は操作しづらかった。
一方で、廊下灯の液晶ディスプレイに一度に表示できるデータ量には限りがあるため、多くの情報を表示させたい場合には表示内容を切り替える操作を行う必要が生ずるが、上述したように専用の操作ボタンを設けることは難しく、既存のボタンを更に多機能化しなければならない問題が発生し、多くの情報を表示させようとすると操作性の問題は更に深刻となった。
【０００５】
そこで、本発明はこのような問題点に鑑み、専用スイッチを廊下灯に設ける事無く、且つ簡易な操作で廊下灯の表示内容を切り替えできるナースコールシステムを提供することを目的としている。
【課題を解決するための手段】
【０００６】
上記課題を解決する為に、請求項１の発明は、看護師を呼び出すためにベッド毎に設置されたナースコール子機と、ナースコール子機からの呼び出しを報知すると共に患者情報を画像表示するディスプレイを備えた廊下灯と、ナースコール子機からの呼び出しに応答するためにナースステーションに設置されたナースコール親機とを有するナースコールシステムにおいて、廊下灯は、ディスプレイの表示切り替えのためのセンサを有すると共に、センサは人の接近を検知する第１の感度と、手を翳される等の近接動作を検知する第２の感度との２段階の感度を有し、更に廊下灯は、待受時にはセンサを第１の感度状態とし、人の接近を検知したら第２の感度に切り替えるセンサ感度制御手段を有すると共に、第１の感度で検知動作した場合はディスプレイを待受状態から所定の第１画面の表示に切り替え、第２の感度で検知動作した場合に所定の第２画面の表示に切り換える制御を行う表示制御手段を有することを特徴とする。
この構成により、第１の感度状態により人が近づいてきたら検知してディスプレイが待受状態から例えば患者情報のうち患者氏名を表示する画面に切り替わり、第２の感度により手を翳す等の近接動作を検知して例えば患者情報の全てを表示するよう２段階の表示切替動作をするので、ディスプレイの画面を切り替えるボタンを設けることなく表示切り替えができる。従って、簡易な操作で患者情報を見ることができるし、ボタン操作が必要ないので、手が塞がれた状態でも患者情報を表示させることができる。
【０００７】
請求項２の発明は、請求項１に記載の発明において、センサ感度制御手段は、センサが第２の感度に切り替わった状態で、検知動作することなく所定の時間が経過したら第１の感度に切り替えると共に、表示制御手段は、第１の感度で検知動作しないとき第１画面の表示から待受状態に戻すことを特徴とする。
この構成により、センサの感度が第２の感度にあっても、一定時間検知動作しなかった場合は第１の感度に戻るので、引き続き人の接近を検知できる。また、ディスプレイの表示も自動で待受状態に戻るので、患者情報等を表示し続けるようなことがなく、消灯操作する必要がない。
【０００８】
請求項３の発明は、請求項１又は２に記載の発明において、ディスプレイが第２画面の表示に切り替わった状態で、センサが第１の所定時間の間検知動作しなければ、センサ感度制御手段はセンサを第１の感度に切り替えると共に、表示制御手段はディスプレイを第１画面の表示に切り替え、引き続きセンサが第１の感度で第２の所定時間の間検知動作しなければ、表示制御手段は第１画面の表示から待受状態に戻すことを特徴とする。
この構成により、ディスプレイが第２画面を表示しても、一定の時間が経過したら消灯する（待受状態になる）し、センサは第１の感度に戻るので、リセット操作が必要ない。
【０００９】
請求項４の発明は、請求項１乃至３の何れかに記載の発明において、センサが第２の感度状態にある場合、表示制御手段は人の近接動作を検知している間だけ第２画面の表示に切り替えることを特徴とする。
この構成により、第２画面の表示は表示操作をしている間だけであり、廊下灯から看護師等が立ち去っても表示され続けることが無く、第３者が第２画面をみるようなことがない。
【００１０】
請求項５の発明は、請求項１乃至３の何れかに記載の発明において、ディスプレイが第２画面の表示状態にある場合に、第２の感度を維持しているセンサが検知動作したら、ディスプレイ制御手段はディスプレイの表示を第１画面の表示に切り替えることを特徴とする。
この構成により、第２画面のオン操作に加えてオフ操作も手を翳す等の動きで行うので、容易に第２画面のオフ操作ができる。
【発明の効果】
【００１１】
本発明によれば、第１の感度状態により人が近づいてきたら検知してディスプレイが待受状態から例えば患者情報のうち患者氏名を表示する画面に切り替わり、第２の感度により手を翳す等の近接動作を検知して患者情報の全てを表示するよう２段階の表示切替動作をするので、ディスプレイの画面を切り替えるボタンを設けることなく表示切り替えができる。従って、簡易な操作で患者情報を見ることができるし、ボタン操作が必要ないので、手が塞がれた状態でも患者情報を表示させることができる。
【発明を実施するための最良の形態】
【００１２】
以下、本発明を具体化した実施の形態を、図面に基づいて詳細に説明する。図１は、本発明に係るナースコールシステムの一例を示す構成図であり、１はベッド毎に設置されて看護師を呼び出すためのナースコール子機（呼出ボタン１ａと子機プレート１ｂ）、２は病室の入口付近に設置されてナースコールコール子機１からの呼び出しを報知する廊下灯、３は前記ナースコール子機１からの呼び出しに応答するためのナースコール親機を示している。また、廊下灯２とナースコール子機１とは例えば２線の信号線Ｌ１で接続され、廊下灯２とナースコール親機３とは例えば２線の信号線Ｌ２で接続され、Ａ１，Ａ２は病室を示し、Ｂはナースステーションを示している。
尚、個々の廊下灯２には、１〜６台のナースコール子機１が接続され、ナースコール親機３には１〜６０台の廊下灯が接続される。
【００１３】
図２は子機プレート１ｂ、廊下灯２、ナースコール親機３の回路ブロック図を示している。この図に示すように、子機プレート１ｂは、呼出ボタン接続端子１１と、ナースコール子機１を制御するための子機ＣＰＵ１２と、廊下灯２と通信するためのデータ送受信回路１３と、マイク１４と、スピーカ１５と、拡声するためのアンプ１６と、呼び出しを表示するための表示灯１７、通話音声をＡ／Ｄ変換するＡ／Ｄ変換回路１８を備えている。
【００１４】
廊下灯２には、患者情報を表示する例えば液晶ディスプレイから成るディスプレイ２１と、人の接近を検知する人感センサ２２と、廊下灯２を制御する廊下灯ＣＰＵ２３と、ナースコール親機３と通信するための第１データ送受信回路２４と、呼び出しを表示する表示灯２５と、患者情報を記憶するメモリ２６と、人感センサ２２の感度を切り替えるための感度切替回路２７と、ナースコール子機１と通信するための第２データ送受信回路２８と、タイマ２９とを備えている。
【００１５】
人感センサ２２は、高感度な第１の感度状態と、低感度な第２の感度状態に切り替えられるよう構成され、第１の感度状態において遠方からの人の接近を検知し、第２の感度状態において手を人感センサ２２に翳す等の人の近接動作を検知するよう構成されている。この切替制御は、センサ感度制御手段としての廊下灯ＣＰＵ２３により行われる。また、メモリ２６に記憶される患者情報は、ナースコール親機３の操作によりナースコール親機３から送信されて記憶される。
【００１６】
ナースコール親機３は、通話するための送受器３１と、通話音声をＡ／Ｄ変換するＡ／Ｄ変換回路３２と、ナースコール親機３を制御するための親機ＣＰＵ３３と、廊下灯２と通信するためのデータ送受信回路３４が備えられている。
【００１７】
次に上記構成のナースコールシステムの動作を説明する。但し、ナースコール子機１からの呼び出し操作、その呼び出しに対するナースコール親機３からの応答操作、更には廊下灯２の呼出報知動作は従来のシステムと同様であるため説明を省略し、ここでは本発明の要部である廊下灯２のディスプレイ２１の表示動作について説明する。
【００１８】
図３は廊下灯２のディスプレイ表示動作の流れを示し、このフローに従って説明する。待受時、廊下灯２のディスプレイ２１は消灯状態（Ｓ１）にあり、人感センサ２２の検知感度は高感度（第１の感度）に設定（Ｓ２）されている。そのため、遠方から廊下灯２に近づいてくる人があれば、それを検知（Ｓ３）する。表示制御手段である廊下灯ＣＰＵ２３は、人感センサ２２が近づいてくる人を検知したらディスプレイ２１を起動し、第１画面の表示としてメモリ２６に記憶されている患者情報のうち患者氏名のみを表示（Ｓ４）させる。合わせて感度切替回路２７を制御して人感センサ２２の感度を低感度（第２の感度）に設定（Ｓ５）し、タイマ２９をセットして第１の所定時間をカウントする（Ｓ６）。
この状態で、第１の所定時間が経過する前に近づいてきた看護師等が手を人感センサ２２に翳す等の近接動作を行うと、それを人感センサが検知（Ｓ７）する。この検知信号を受けて廊下灯ＣＰＵ２３は、第２画面の表示としてディスプレイ２１に患者の病名、看護履歴、呼出履歴等全ての患者情報を表示する（Ｓ１３）。
【００１９】
但し、第２の感度状態にある人感センサ２２が、検知動作せずに第１の所定時間（例えば２０秒）が経過（Ｓ８）したら、第１の感度に戻り（Ｓ９）、第１の画面（Ｓ４）の表示を続ける。そして、タイマ２９をＳ６のタイマセットやＳ１４のタイマセットのセット時間より短い０．５秒程度にセット（Ｓ１０）して第２の所定時間をカウントし、セット時間が経過したら（Ｓ１２）ディスプレイ２１を消灯して待受状態（Ｓ１）に戻る。
【００２０】
一方、全ての患者情報を表示（Ｓ１３）したら、タイマ２９をセット（Ｓ１４）して第３の所定時間のカウントを開始する。その間、人感センサ２２は第２の感度を維持し、再度手を翳す等の動作を検知（Ｓ１５）したら表示をし続け、例えば５秒等の第３の所定時間が経過（Ｓ１６）したら第１の画面表示（Ｓ４）に一旦戻り、第１，第２の所定時間が経過したら消灯して待受状態（Ｓ１）に戻る。
【００２１】
このように、第１の感度状態により人が近づいてきたら検知してディスプレイが待受状態から患者情報のうち患者氏名を表示する画面に切り替わり、第２の感度により手を翳す等の近接動作を検知して患者情報の全てを表示する２段階の表示切替動作をするので、ディスプレイの画面を切り替えるボタンを設けることなく表示切り替えができる。従って、簡易な操作で患者情報を見ることができるし、ボタン操作が必要ないので、手が塞がれた状態でも患者情報を表示させることができる。
また、センサの感度が第２の感度にあっても、一定時間検知動作しなかった場合は第１の感度に戻るので、引き続き人の接近を検知できる。また、ディスプレイの表示も自動で待受状態に戻るので、患者情報等を表示し続けるようなことがなく、消灯操作する必要がない。
更に、ディスプレイが第２画面の表示にあっても一定の時間が経過したら、一旦第１画面に戻った後消灯する（待受状態になる）し、人感センサは第１の感度に戻るので、リセット操作が必要ない。
また、２つのセンサを設ける事無く１つのセンサに２段階の検知動作をさせるので、安価に構成することができる。
【００２２】
図４は、ディスプレイ２１の表示動作の別の形態を示している。待受状態から詳細な患者情報を表示するステップ（Ｓ１３）までの動作は上記図３と同様であるため説明を省略し、次のステップ（Ｓ２１）を説明する。ここでは、廊下灯ＣＰＵ２３は、手を翳す等の近接動作を検知（Ｓ２１）してる間だけ第２画面を表示（Ｓ１３）する。検知しなければ、即ち近づいた看護師等が手を翳すのを止めたら第１画面の表示に戻る（Ｓ４）。
その後は、上記図３に示す動作と同様であり、人感センサ２２が検知動作しなければ所定時間経過後に待受状態（Ｓ１）に戻るし、検知動作（Ｓ７）したら再び詳細な患者情報を表示（Ｓ１３）する。
このように、詳細表示は表示操作をしている間だけであり、廊下灯から看護師等が立ち去っても表示され続けることが無く、第３者が第２画面をみるようなことがない。
【００２３】
図５は、ディスプレイ２１の表示動作の更に他の形態を示している。待受状態から詳細な患者情報（第２画面）を表示するステップ（Ｓ１３）までの動作は上記図３と同様であるため説明を省略し、次のステップ（Ｓ３１）から説明する。ここでは、人感センサ２２が再度検知動作するまで第２画面の表示を続ける。
第２画面が表示（Ｓ１３）されたら、タイマがセット（Ｓ３１）され、第４の所定時間をカウントを開始し、このセット時間の間に第２の感度状態の人感センサ２２が近づいてきた人の近接動作を検知（Ｓ３２）したら、表示を第１画面である患者氏名のみの表示（Ｓ４）に戻す。近接動作を検知せず、例えば３０秒の第４の所定時間が経過したならば（Ｓ３３）、ディスプレイ２１は消灯して待受状態（Ｓ１）に戻る。
このように、詳細表示の操作はオン操作に加えてオフ操作も手を翳す等の動きで行うので、容易に詳細表示画面のオフ操作ができる。
【００２４】
尚、上記実施形態では、待受状態ではディスプレイ２１を消灯させているが、患者情報とは関係のない絵等を表示させても良い。また、第１画面として患者情報のうち氏名のみを表示、第２画面として詳細な患者情報を表示しているが、第１画面として患者情報とは関係のない絵等を表示させ、第２面として患者氏名を含む詳細な患者情報を表示させても良い。
また、ナースコール親機３が１台となっているが、複数であってもよいし携帯用親機があっても良い。更に、通話路を制御する制御機をラインＬ２の途中に設置しても良い。
【図面の簡単な説明】
【００２５】
【図１】本発明の実施形態の一例を示すインターホンシステムの構成図である。
【図２】回路ブロック図で示した構成図である。
【図３】廊下灯の表示動作の流れを示すフローチャートである。
【図４】廊下灯の別の表示動作の流れを示すフローチャートである。
【図５】廊下灯の別の表示動作の流れを示すフローチャートである。
【符号の説明】
【００２６】
１・・ナースコール子機、２・・廊下灯、３・・ナースコール親機、２１・・ディスプレイ、２２・・人感センサ（センサ）、２３・・廊下灯ＣＰＵ（センサ感度制御手段、表示制御手段）、２６・・メモリ、２７・・感度切替回路、２９・・タイマ。
【図１】
2008054846.tif 000003
【図２】
2008054846.tif 000004
【図３】
2008054846.tif 000005
【図４】
2008054846.tif 000006
【図５】
2008054846.tif 000007